(57)【特許請求の範囲】
【請求項１】
複数の下りリンクコンポーネントキャリアを用いて基地局装置と通信をする移動局装置に用いられる無線通信方法において、
前記移動局装置は、
前記複数の下りリンクコンポーネントキャリアの一部の下りリンクコンポーネントキャリアであって、前記基地局装置に送信した前記上りリンクデータに対するＨＡＲＱインディケータを受信する前記下りリンクコンポーネントキャリアをデアクティベートとする指示に従い、前記一部の下りリンクコンポーネントキャリアをデアクティベートし、前記デアクティベートした前記下りリンクコンポーネントキャリアに関連する前記上りリンクコンポーネントキャリアのＨＡＲＱバッファの内容を消去することを特徴とする無線通信方法。
【請求項２】
複数の下りリンクコンポーネントキャリアを用いて基地局装置と通信をする移動局装置において、
前記複数の下りリンクコンポーネントキャリアの一部の下りリンクコンポーネントキャリアであって、前記基地局装置に送信した上りリンクデータに対するＨＡＲＱインディケータを受信する下りリンクコンポーネントキャリアをデアクティベートとする指示に従い、前記一部の下りリンクコンポーネントキャリアをデアクティベートし、前記デアクティベートした前記下りリンクコンポーネントキャリアに関連する前記上りリンクコンポーネントキャリアのＨＡＲＱバッファの内容を消去することを特徴とする移動局装置。
【請求項３】
複数の下りリンクコンポーネントキャリアを用いて基地局装置と通信をする移動局装置に用いられる集積回路において、
前記複数の下りリンクコンポーネントキャリアの一部の下りリンクコンポーネントキャリアであって、前記基地局装置に送信した上りリンクデータに対するＨＡＲＱインディケータを受信する下りリンクコンポーネントキャリアをデアクティベートとする指示に従い、前記一部の下りリンクコンポーネントキャリアをデアクティベートし、前記デアクティベートした前記下りリンクコンポーネントキャリアに関連する前記上りリンクコンポーネントキャリアのＨＡＲＱバッファの内容を消去する機能を有することを特徴とする集積回路。
【発明の詳細な説明】
【技術分野】
【０００１】
本発明は、無線通信方法、移動局装置、無線通信システムおよび集積回路に関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥでは、基地局装置は、ＰＤＣＣＨ（Physical Downlink Control Channel）で送信される下りリンク制御情報（Downlink Control Information: DCI）を用いて上りリンクデータ（トランスポートブロック、Transport block）送信用のチャネルであるＰＵＳＣＨ（Physical Uplink Shared Channel）の初期送信または再送信を移動局装置に指示する。また、基地局装置は、移動局装置が送信するＰＵＳＣＨを受信し、ＰＵＳＣＨの復号の成否を示すＨＡＲＱ（Hybrid Automatic Repeat reQuest）インディケータをＰＨＩＣＨ（Physical HARQIndicator Channel）で送信する。
【０００４】
ＨＡＲＱインディケータは、ＡＣＫまたはＮＡＣＫを示す。基地局装置がＰＵＳＣＨの復号に成功した場合は、ＨＡＲＱインディケータはＡＣＫ（ACKnowledgement）を示し、基地局装置がＰＵＳＣＨの復号に失敗した場合は、ＨＡＲＱインディケータはＮＡＣＫ（Negative ACKnowledgement）を示す。
【０００５】
移動局装置は、まずＰＨＩＣＨで信号の検出を行なう。移動局装置は、ＰＨＩＣＨで信号を検出した場合、ＰＨＩＣＨで受信したＨＡＲＱインディケータが示すＡＣＫまたはＮＡＣＫをＨＡＲＱフィードバックに対してセットする。移動局装置は、ＰＨＩＣＨで信号を検出しなかった場合、ＨＡＲＱフィードバックに対して何もセットしない（ＨＡＲＱフィードバックの状態を保持する）。
【０００６】
次に移動局装置は、下りリンク制御情報の検出を行なう。移動局装置はＰＵＳＣＨの初期送信を指示する下りリンク制御情報を受信した場合、ＰＵＳＣＨで送信する上りリンクデータを決定し、この上りリンクデータをＨＡＲＱバッファに記憶し、下りリンク制御情報に従ってＰＵＳＣＨの初期送信を行ない、ＨＡＲＱフィードバックとしてＮＡＣＫをセットする。移動局装置はＰＵＳＣＨの再送信を指示する下りリンク制御情報を受信した場合、下りリンク制御情報に従ってＨＡＲＱバッファに記憶されている上りリンクデータの再送信をＰＵＳＣＨで行い、ＨＡＲＱフィードバックとしてＮＡＣＫをセットする。尚、移動局装置は、ＰＵＳＣＨの初期送信または再送信を指示する下りリンク制御情報を検出した場合、ＰＨＩＣＨで受信したＨＡＲＱインディケータ（つまり、ＨＡＲＱフィードバックとしてセットされているＡＣＫまたはＮＡＣＫ）に基づいて動作を行なわない。
【０００７】
移動局装置はＰＵＳＣＨに対する下りリンク制御情報を受信しなかった場合は、セットされているＨＡＲＱフィードバックに基づきＰＵＳＣＨの送信を行なう。移動局装置は、ＨＡＲＱフィードバックに対してＮＡＣＫがセットされている場合はＰＵＳＣＨの再送信を行ない、ＨＡＲＱフィードバックに対してＡＣＫがセットされている場合はＰＵＳＣＨの送信を行わず、ＨＡＲＱバッファに記憶されているデータを保持する。移動局装置は、ＨＡＲＱフィードバックに対してＮＡＣＫがセットされている場合は、ＰＨＩＣＨでＡＣＫを示すＨＡＲＱインディケータを受信するまで、または新たにＰＤＣＣＨでＰＵＳＣＨに対する下りリンク制御情報を受信するまで、最後に受信した下りリンク制御情報に基づいてＰＵＳＣＨの再送信を行なう。例えば、移動局装置は、ＨＡＲＱフィードバックに対してＮＡＣＫがセットされている状態においてＰＨＩＣＨで信号を検出しなかった場合はＰＵＳＣＨの再送信を行う。
【０００８】
３ＧＰＰでは、ＬＴＥより広帯域な周波数帯域を利用して、さらに高速なデータの通信を実現する無線アクセス方式および無線ネットワーク（以下、「Long Term Evolution-Advanced （LTE-A）」、または、「Advanced Evolved Universal Terrestrial Radio Access （A-EUTRA）」と称する。）が検討されている。ＬＴＥ−Ａでは、ＬＴＥとの後方互換性（backward compatibility）を持つこと、つまり、ＬＴＥ−Ａの基地局装置が、ＬＴＥ−ＡおよびＬＴＥ両方の移動局装置と同時に無線通信を行うこと、およびＬＴＥ−Ａの移動局装置が、ＬＴＥ−ＡおよびＬＴＥ両方の基地局装置と無線通信を行えるようにすることが求められており、ＬＴＥ−ＡはＬＴＥと同一のチャネル構造を用いることが検討されている。
【０００９】
ＬＴＥ−Ａでは、ＬＴＥと同一のチャネル構造の周波数帯域（以下、「コンポーネントキャリア（Component Carrier; CC）」と称する。）を集約して、１つの周波数帯域（広帯域な周波数帯域）として使用する技術（周波数帯域集約；Spectrum aggregation、Carrier aggregation、Frequency aggregation等とも称される。）が検討されている。具体的には、周波数帯域集約を用いた通信では、下りリンクコンポーネントキャリア毎に、下りリンクのチャネルが送信され、上りリンクコンポーネントキャリア毎に上りリンクのチャネルが送信される。つまり、周波数帯域集約は、上りリンクと下りリンクにおいて、基地局装置と複数の移動局装置が複数のチャネルを、複数のコンポーネントキャリアを用いて、複数のデータや複数の制御情報を同時に送受信する技術である。
【００１０】
周波数帯域集約を用いた通信では、基地局装置が、移動局装置に通信に用いる下りリンクコンポーネントキャリアと上りリンクコンポーネントキャリアをＲＲＣシグナル（Radio Resource Control signal）などを用いて設定し、この設定した下りリンクコンポーネントキャリアの中から下りリンクの通信に用いる下りリンクコンポーネントキャリアを示すアクティベーションコマンド（activation command）を、ＰＤＣＣＨまたはＭＡＣ（Medium Access Control）ＣＥ（Control Element）などを用いて通知することが提案されている。（非特許文献１）
【先行技術文献】
【非特許文献】
【００１１】
【非特許文献１】"Open issues on component carrier activation and deactivation", 3GPP TSG RAN WG2 Meeting #69, R2-101082, February 22-26, 2010.
【発明の概要】
【発明が解決しようとする課題】
【００１２】
しかしながら、従来の技術では、移動局装置において上りリンクで送信したＰＵＳＣＨに関連するＨＡＲＱフィードバックにＮＡＣＫがセットされている状態で、このＰＵＳＣＨに対するＨＡＲＱインディケータを含むＰＨＩＣＨを受信する下りリンクコンポーネントキャリアが、下りリンクの通信に用いる下りリンクコンポーネントキャリアから除かれ、移動局装置においてＰＨＩＣＨで信号の検出が行なえなくなると、移動局装置は、基地局装置のＰＵＳＣＨの復号の成否に係らず、ＰＵＳＣＨの再送信を繰り返し行なってしまうという問題があった。
【００１３】
本発明は上記の点に鑑みてなされたものであり、その目的は、複数の下りリンクコンポーネントキャリアを用いて移動局装置と基地局装置が通信する無線通信システムにおいて、ＰＵＳＣＨの再送信の制御を効率的に行なうことができる無線通信方法、移動局装置、無線通信システムおよび集積回路を提供することを目的とする。
【課題を解決するための手段】
【００１４】
（１）上記の目的を達成するために、本発明は、以下のような手段を講じた。すなわち、本発明の無線通信方法は、複数の下りリンクコンポーネントキャリアを用いて基地局装置と通信をする移動局装置に用いられる無線通信方法において、前記基地局装置に送信した上りリンクデータに対するＨＡＲＱインディケータを受信する下りリンクコンポーネントキャリアがデアクティベートされている場合は、前記ＨＡＲＱインディケータを受信せずに、ＡＣＫをセットする手段を有することを特徴とする。
【００１５】
（２）また、本発明の移動局装置は、複数の下りリンクコンポーネントキャリアを用いて基地局装置と通信をする移動局装置において、前記基地局装置に送信した上りリンクデータに対するＨＡＲＱインディケータを受信する下りリンクコンポーネントキャリアがデアクティベートされている場合は、前記ＨＡＲＱインディケータを受信せずに、ＡＣＫをセットすることを特徴とする。
【００１６】
（３）また、本発明の無線通信システムは、複数の下りリンクコンポーネントキャリアを用いて移動局装置と基地局装置が通信をする無線通信システムにおいて、前記移動局装置が前記基地局装置に送信した上りリンクデータに対するＨＡＲＱインディケータを受信する下りリンクコンポーネントキャリアがデアクティベートされている場合は、前記移動局装置は、前記ＨＡＲＱインディケータを受信せずに、ＡＣＫをセットし、前記基地局装置は、前記移動局装置が前記ＨＡＲＱインディケータを受信せずに、ＡＣＫをセットしたと判断することを特徴とする。
【００１７】
（４）また、本発明の集積回路は、複数の下りリンクコンポーネントキャリアを用いて基地局装置と通信をする移動局装置に用いられる集積回路において、前記基地局装置に送信した上りリンクデータに対するＨＡＲＱインディケータを受信する下りリンクコンポーネントキャリアがデアクティベートされている場合は、前記ＨＡＲＱインディケータを受信せずに、ＡＣＫをセットする機能を有することを特徴とする。
【発明の効果】
【００１８】
この発明によれば、複数の下りリンクコンポーネントキャリアを用いて移動局装置と基地局装置が通信する無線通信システムにおいて、移動局装置がＰＵＳＣＨの再送信を効率的に行なうことができる。
【図面の簡単な説明】
【００１９】
【図１】本発明の第１の実施形態に係る無線通信システムの概念図である。
【図２】本発明の周波数帯域集約処理の一例を示す図である。
【図３】本発明の下りリンクの無線フレームの構成の一例を示す概略図である。
【図４】本発明の上りリンクの無線フレームの構成の一例を示す概略図である。
【図５】本発明の上りリンクのＨＡＲＱプロセスを説明するための概略図である。
【図６】本発明の移動局装置１の動作の一例を示すフローチャート図である。
【図７】本発明の移動局装置１の構成を示す概略ブロック図である。
【図８】本発明の基地局装置３の構成を示す概略ブロック図である。
【図９】本発明の第２の実施形態の移動局装置１の動作の一例を示すフローチャート図である。
【発明を実施するための形態】
【００２０】
（第１の実施形態）
以下、図面を参照しながら本発明の第１の実施形態について詳しく説明する。
【００２１】
図１は、本発明の第１の実施形態に係る無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期シグナル（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００２２】
また、図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００２３】
図２は、本発明の周波数帯域集約処理の一例を示す図である。図２において、横軸は周波数領域、縦軸は時間領域を示す。図２に示すように、下りリンクのサブフレームＤ１は、２０ＭＨｚの帯域幅を持った４つの下りリンクコンポーネントキャリア（DL CC-1; Downlink Component Carrier-1、DL CC-2、DL CC-3、DL CC-4）のサブフレームによって構成されている。この下りリンクコンポーネントキャリアのサブフレーム各々には、格子状の線でハッチングがされた領域が示すＰＨＩＣＨが配置される領域と、斜線でハッチングがされた領域が示すＰＤＣＣＨが配置される領域と、ハッチングがされない領域が示すＰＤＳＣＨが配置される領域がある。ＰＨＩＣＨが配置される領域とＰＤＣＣＨが配置される領域は、周波数多重および／または時間多重される。ＰＨＩＣＨとＰＤＣＣＨが周波数多重および／または時間多重される領域と、ＰＤＳＣＨが配置される領域は時間多重される。
【００２４】
一方、上りリンクのサブフレームＵ１は、２０ＭＨｚの帯域幅を持った３つの上りリンクコンポーネントキャリア（UL CC-1; Uplink Component Carrier-1、UL CC-2、UL CC-3）によって構成されている。この上りリンクコンポーネントキャリアのサブフレーム各々には、灰色でハッチングがされた領域が示すＰＵＣＣＨが配置される領域と、横線でハッチングがされた領域が示すＰＵＳＣＨが配置される領域とが周波数多重される。
【００２５】
まず、移動局装置１は、いずれか１組の下りリンクコンポーネントキャリアと上りリンクコンポーネントキャリアを用いて基地局装置３との初期アクセスを行なう。基地局装置３は、移動局装置１が初期アクセスを行なった下りリンクコンポーネントキャリアのＰＤＳＣＨを用いて送信するＲＲＣシグナル（Radio Resource Control signal）で、移動局装置１に対して設定した下りリンクコンポーネントキャリアと上りリンクコンポーネントキャリア（以下、「設定されたコンポーネントキャリア（configured component carrier）」と称する。）を通知する。
【００２６】
基地局装置３は、設定された下りリンクコンポーネントキャリアの中から下りリンクの通信に用いる下りリンクコンポーネントキャリアを示すアクティベーションコマンド（activation command）を、ＰＤＣＣＨまたはＭＡＣ（Medium Access Control）ＣＥ（Control Element）などを用いて通知する。例えば、アクティベーションコマンドはビットマップで構成され、下りリンクコンポーネントキャリアそれぞれに対応するビットの値が“１”の場合は、その下りリンクコンポーネントキャリアを下りリンクの通信に用いることを示し、ビットの値が“０”の場合は、その下りリンクコンポーネントキャリアを下りリンクの通信に用いないことを示す。アクティベーションコマンドは、アクティベーションコマンドを受信してから所定の時間後（例えば、１サブフレーム後や４サブフレーム後など）に適用する。なお、ＭＡＣ  ＣＥはＰＤＳＣＨを用いて送信される。
【００２７】
基地局装置３が移動局装置１に、アクティベーションコマンドで下りリンクコンポーネントキャリアを下りリンクの通信に用いると通知することを、下りリンクコンポーネントキャリアをアクティベートする（activate）と称する。基地局装置３が移動局装置１に、アクティベーションコマンドで下りリンクコンポーネントキャリアを下りリンクの通信に用いないと通知することを、下りリンクコンポーネントキャリアをデアクティベートする（deactivate）と称する。
【００２８】
アクティベートされている下りリンクコンポーネントキャリアを、アクティベートされた下りリンクコンポーネントキャリア（activated downlink component carrier）または設定されてアクティベートされた下りリンクコンポーネントキャリア（configured and activated downlink component carrier）と称し、デアクティベートされているコンポーネントキャリアを、デアクティベートされた下りリンクコンポーネントキャリア（deactivated downlink component carrier）または設定されてデアクティベートされた下りリンクコンポーネントキャリア（configured and deactivated downlink component carrier）と称する。
【００２９】
移動局装置１はアクティベーションコマンドで下りリンクの通信に用いないと通知された下りリンクコンポーネントキャリアをデアクティベートする方法とは異なる方法で下りリンクコンポーネントキャリアをデアクティベートしてもよい。例えば、移動局装置１は、アクティベーションコマンドで下りリンクコンポーネントキャリアがアクティベートされてから所定の時間が経過した場合に、下りリンクコンポーネントキャリアをデアクティベートしてもよいし、アクティベートされた下りリンクコンポーネントキャリアで最後にＰＤＣＣＨまたはＰＤＳＣＨを受信してから所定の時間が経過した場合に、下りリンクコンポーネントキャリアをデアクティベートしてもよい。つまり、移動局装置１自身の判断で下りリンクコンポーネントキャリアをデアクティベートしてもよい。尚、基地局装置３は、上記所定の時間を設定し、この設定を含む情報をＲＲＣシグナルで移動局装置１に通知してもよい。
【００３０】
移動局装置１は、デアクティベートされた下りリンクコンポーネントキャリアの信号を受信しない。基地局装置３は、デアクティベートされた下りリンクコンポーネントキャリアの信号を移動局装置１が受信しないと判断する。例えば、基地局装置３は、下りリンクのサブフレームにおいて、アクティベートされた下りリンクコンポーネントキャリアのうち１つまたは複数の下りリンクコンポーネントキャリアに信号（ＰＤＳＣＨ、ＰＤＣＣＨ、ＰＨＩＣＨなど）を配置して、移動局装置１へ送信する。移動局装置１は、アクティベートされた下りリンクコンポーネントキャリアの信号（ＰＤＳＣＨ、ＰＤＣＣＨ、ＰＨＩＣＨなど）のみ監視および受信処理を行なう。
【００３１】
基地局装置３は、設定された下りリンクコンポーネントキャリアと上りリンクコンポーネントキャリアの中から下りリンクプライマリーコンポーネントキャリア（downlink primary component carrier: DL PCC）と上りリンクコンポーネントキャリアuplink primary component carrier: UL PCC）を移動局装置１毎に設定し、この設定に関する情報を含むＲＲＣシグナルを移動局装置１に通知する。移動局装置１は、下りリンクプライマリーコンポーネントキャリアと上りリンクプライマリーコンポーネントキャリアの設定をされるまでは、初期アクセスに用いた下りリンクコンポーネントキャリアおよび上りリンクコンポーネントキャリアを、下りリンクプライマリーコンポーネントキャリアおよび上りリンクプライマリーコンポーネントキャリアとして設定する。
【００３２】
基地局装置３は、下りリンクプライマリーコンポーネントキャリアはデアクティベートすることができない、つまり下りリンクプライマリーコンポーネントキャリアは必ずアクティベートされている。上りリンクプライマリーコンポーネントキャリアは、上りリンク制御情報を送信するのに用いられる。
【００３３】
基地局装置３は、上りリンクのサブフレームにおいて、設定された上りリンクコンポーネントキャリアのうち１つまたは複数の上りリンクコンポーネントキャリアのＰＵＳＣＨの無線リソースを割り当て、このＰＵＳＣＨに対する無線リソースの割り当てを示す下りリンク制御情報（Downlink Control Information: DCI）をアクティベートされた下りリンクコンポーネントキャリアのＰＤＣＣＨで送信する。移動局装置１は、ＰＵＳＣＨの無線リソースの割り当てを示す下りリンク制御情報に従って、設定された上りリンクコンポーネントキャリアのうち１つまたは複数の上りリンクコンポーネントキャリアのＰＵＳＣＨに信号を配置して、基地局装置３へ送信する。
【００３４】
尚、下りリンクのサブフレームにおいて、下りリンクコンポーネントキャリアのＰＤＳＣＨ、上りリンクコンポーネントキャリアのＰＵＳＣＨに対する下りリンク制御情報は、設定されてアクティベートされた下りリンクコンポーネントキャリアの中で、いずれか１つの下りリンクコンポーネントキャリアのＰＤＣＣＨを用いて移動局装置１に送信される。下りリンクコンポーネントキャリアのＰＤＳＣＨに対するＰＤＣＣＨ、および上りリンクコンポーネントキャリアのＰＵＳＣＨに対するＰＤＣＣＨは、サブフレーム毎に異なる下りリンクコンポーネントキャリアに配置されてもよい。
【００３５】
つまり、下りリンクコンポーネントキャリアの１個のＰＤＳＣＨ、または上りリンクコンポーネントキャリアの１個のＰＵＳＣＨに対して、複数のＰＤＣＣＨが１個の下りリンクコンポーネントキャリアでも、複数の下りリンクコンポーネントキャリアでも同時に送信されることはない。例えば、図２において、下りリンクのサブフレームにおいて、ＵＬ  ＣＣ−１のＰＵＳＣＨに対するＰＤＣＣＨは、ＤＬ  ＣＣ−１からＤＬ  ＣＣ−４のうち、１つの下りリンクコンポーネントキャリア（ＤＬ  ＣＣ−１、またはＤＬ  ＣＣ−２、またはＤＬ  ＣＣ−３、またはＤＬ  ＣＣ−４）のＰＤＣＣＨで送信される。
【００３６】
尚、下りリンクコンポーネントキャリアのＰＤＳＣＨ、または上りリンクコンポーネントキャリアのＰＵＳＣＨに対するＰＤＣＣＨが送信されることができる下りリンクコンポーネントキャリアは制限されてもよい。例えば、図２において、ＵＬ  ＣＣ−１のＰＵＳＣＨに対するＰＤＣＣＨを、サブフレーム毎にＤＬ−ＣＣ１とＤＬ  ＣＣ２のうち、１つの下りリンクコンポーネントキャリアでのみ送信されるように制限されてもよい。また、ＵＬ  ＣＣ−１のＰＵＳＣＨに対するＰＤＣＣＨを、サブフレーム毎にＤＬ  ＣＣ−１でのみ送信されるように制限されてもよい。
【００３７】
上りリンクコンポーネントキャリアで移動局装置１が送信したＰＵＳＣＨの復号の成否を示すＨＡＲＱ（Hybrid Automatic Repeat reQuest）インディケータは、このＰＵＳＣＨに対するＰＤＣＣＨが最後に送信された下りリンクコンポーネントキャリアのＰＨＩＣＨで送信される。例えば、図２において、移動局装置１がＤＬ  ＣＣ−１でＵＬ  ＣＣ−１のＰＵＳＣＨに対するＰＤＣＣＨを最後に受信し、ＵＬ  ＣＣ−１でＰＵＳＣＨを送信した場合、このＰＵＳＣＨに対するＨＡＲＱインディケータはＤＬ  ＣＣ−１のＰＨＩＣＨで送信される。基地局装置３がＰＵＳＣＨの復号に成功した場合は、ＨＡＲＱインディケータはＡＣＫ（ACKnowledgement）を示し、基地局装置がＰＵＳＣＨの復号に失敗した場合は、ＨＡＲＱインディケータはＮＡＣＫ（Negative ACKnowledgement）を示す。
【００３８】
図３は、本発明の下りリンクの無線フレームの構成の一例を示す概略図である。図３は、下りリンクコンポーネントキャリアにおける無線フレームの構成を示す。図３において、横軸は時間領域、縦軸は周波数領域である。図３に示すように、下りリンクコンポーネントキャリアの無線フレームは、複数の下りリンクの物理リソースブロック（Physical Resource Block; PRB）ペア（例えば、図３の破線で囲まれた領域）から構成されている。この下りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００３９】
１個の下りリンクの物理リソースブロックペアは、時間領域で連続する２個の下りリンクの物理リソースブロック（PRB帯域幅×スロット）から構成される。１個の下りリンクの物理リソースブロック（図３において、太線で囲まれている単位）は、周波数領域において１２個のサブキャリア（１５kHz）から構成され、時間領域において７個のＯＦＤＭ（Orthogonal Frequency Division Multiplexing）シンボル（７１μs）から構成される。
【００４０】
時間領域においては、７個のＯＦＤＭシンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である１msのことを、送信時間間隔（Transmit Time Interval: TTI）とも称する。周波数領域においては、下りリンクコンポーネントキャリアの帯域幅に応じて複数の下りリンクの物理リソースブロックが配置される。尚、１個のサブキャリアと１個のＯＦＤＭシンボルから構成されるユニットを下りリンクリソースエレメントと称する。
【００４１】
以下、下りリンクコンポーネントキャリア内に割り当てられるチャネルについて説明をする。下りリンクの各サブフレームでは、例えば、ＰＤＣＣＨ、ＰＨＩＣＨ、ＰＤＳＣＨ、および下りリンク参照信号が割り当てられる。まず、ＰＤＣＣＨについて説明をする。ＰＤＣＣＨはサブフレームの先頭のＯＦＤＭシンボルから（図３において、左斜線でハッチングされた領域）配置される。尚、ＰＤＣＣＨが配置されるＯＦＤＭシンボルの数は１から３であり、サブフレーム毎に異なる。ＰＤＣＣＨには、下りリンクアサインメント（downlink assignment、またはdownlink grantとも称する。）、上りリンクグラント（Uplink grant）などの情報フォーマットで構成される、通信の制御に用いられる情報である下りリンク制御情報の信号が配置される。また、各サブフレームでは、各下りリンクコンポーネントキャリアにおいて複数のＰＤＣＣＨが周波数多重および時間多重される。
【００４２】
下りリンクアサインメントは、ＰＤＳＣＨに対する変調方式および符号化に関する情報、無線リソースの割り当てを示す情報、初期送信または再送信などを示すＨＡＲＱに関する情報、ＴＰＣコマンドなどから構成される。また、上りリンクグラントは、ＰＵＳＣＨに対する変調方式および符号化に関する情報、無線リソースの割り当てを示す情報、初期送信または再送信などを示すＨＡＲＱに関する情報、ＴＰＣコマンドなどから構成される。尚、ＨＡＲＱとは、例えば、移動局装置１（基地局装置３）がデータの復号の成否を示すＨＡＲＱフィードバックを基地局装置３（移動局装置１）に送信し、移動局装置１（基地局装置３）が誤りによりデータを復号できない（ＮＡＣＫ）場合に基地局装置３（移動局装置１）が信号を再送し、移動局装置１（基地局装置３）が再度受信した信号と既に受信した信号との合成信号に対して復号処理を行なう技術である。
【００４３】
下りリンクアサインメントと上りリンクグラントを構成するＨＡＲＱに関する情報には、ＮＤＩ（New Data Indicator）が含まれる。移動局装置１は、下りリンクアサインメントまたは上りリンクグラントを受信した場合は、受信した下りリンクアサインメントまたは上りリンクグラントに含まれるＮＤＩを記憶する。このとき、移動局装置１が既にＮＤＩを記憶している場合は、ＮＤＩがトグル（toggle）されているか判定してから、新しいＮＤＩに上書きする。
【００４４】
移動局装置１は、ＮＤＩがトグルされている場合は、下りリンクアサインメントまたは上りリンクグラントが初期送信を示していると判定し、ＮＤＩがトグルされていない場合は、下りリンクアサインメントまたは上りリンクグラントが初期送信を示していると判定する。ＮＤＩがトグルされているとは、既に記憶しているＮＤＩと受信したＮＤＩの値が異なることであり、ＮＤＩがトグルされていないとは、既に記憶しているＮＤＩと受信したＮＤＩの値が同じであることである。以下、下りリンクアサインメントまたは上りリンクグラントに含まれるＮＤＩがトグルされていることを、下りリンクアサインメントまたは上りリンクグラントが初期送信を指示していると称し、ＮＤＩがトグルされていないことを、下りリンクアサインメントまたは上りリンクグラントが再送信を指示していると称する。
【００４５】
下りリンク制御情報の符号化方法について説明する。まず基地局装置３は、下りリンク制御情報を基に生成した巡回冗長検査（Cyclic Redundancy Check: CRC）符号をＲＮＴＩ（Radio Network Temporary Identifier）でスクランブル（scramble）した系列を下りリンク制御情報に付加する。移動局装置１は、巡回冗長検査符号がいずれのＲＮＴＩでスクランブルされているかによって下りリンク制御情報の解釈を変更する。例えば、移動局装置１は、自装置が基地局装置３から割り当てられたＣ−ＲＮＴＩ（Cell-Radio Network Temporary Identity）で巡回冗長検査符号がスクランブルされていた場合、下りリンク制御情報が自装置宛の無線リソースを示していると判断する。以下、下りリンク制御情報にＲＮＴＩでスクランブルされた巡回冗長検査符号が付加されていることを、単に下りリンク制御情報にＲＮＴＩが含まれている、またはＰＤＣＣＨにＲＮＴＩが含まれていると表現する。
【００４６】
移動局装置１は、ＰＤＣＣＨをデコード処理し、ＲＮＴＩでスクランブルされた巡回冗長検査符号に相当する系列を自装置が記憶するＲＮＴＩでデスクランブル（descramble）し、デスクランブルした巡回冗長検査符号に基づき誤りがないことを検出した場合にＰＤＣＣＨの取得に成功したと判断する。この処理をブラインドデコーディング（blind decoding）と呼ぶ。
【００４７】
次に、ＰＨＩＣＨについて説明をする。各サブフレームにおいて、ＰＨＩＣＨとＰＤＣＣＨは同一ＯＦＤＭシンボル内で周波数多重（図３において、格子状の線でハッチングがされた領域）される。ＰＨＩＣＨは、サブフレームの先頭のＯＦＤＭシンボルのみに配置されてもよいし、複数のＯＦＤＭシンボルに分散して配置されてもよい。ＰＨＩＣＨには、ＰＵＳＣＨの復号の成否（ＡＣＫ／ＮＡＣＫ）を示すＨＡＲＱインディケータが配置される。また、各サブフレームでは、各下りリンクコンポーネントキャリアにおいて複数のＰＨＩＣＨが周波数多重および符号多重される。
【００４８】
上りリンクコンポーネントキャリアで移動局装置１が送信したＰＵＳＣＨの復号の成否を示すＨＡＲＱインディケータは、このＰＵＳＣＨに対する上りリンクグラントが最後に送信されたのと同じ下りリンクコンポーネントキャリアのＰＨＩＣＨで送信される。また、ＰＵＳＣＨに対するＨＡＲＱインディケータが下りリンクコンポーネントキャリア内のいずれのＰＨＩＣＨに配置されるかは、このＰＵＳＣＨに割り当てられた物理リソースブロックのうち、最も番号の小さい（最も低い周波数領域の）物理リソースブロックの番号および、上りリンクグラントに含まれる、ＰＵＳＣＨと時間多重される上りリンク参照信号のサイクリックシフトに関する情報から決定される。
【００４９】
移動局装置１は、ＰＵＳＣＨを送信してから所定の時間後（例えば、４ms後、４サブフレーム後、４ＴＴＩ後）の下りリンクのサブフレームのＰＨＩＣＨで、このＰＵＳＣＨに対するＨＡＲＱフィードバックを受信する。上りリンク参照信号では、符号多重が用いられ、複数の異なる符号が用いられる。例えば、複数の異なる符号は予め決められた基礎系列を周期的にシフト（サイクリックシフトと称す）することにより生成され、異なるシフト量のサイクリックシフトにより異なる符号が生成される。
【００５０】
次に、ＰＤＳＣＨについて説明をする。ＰＤＳＣＨは、サブフレームのＰＤＣＣＨおよび／またはＰＨＩＣＨが配置されるＯＦＤＭシンボル以外のＯＦＤＭシンボル（図３において、ハッチングがされない領域）に配置される。ＰＤＳＣＨには、下りリンクデータ（または「トランスポートブロック（Transport Block）」と称する。）の信号が配置される。ＰＤＳＣＨの無線リソースは、下りリンクアサインメントを用いて割り当てられる。ＰＤＳＣＨの無線リソースは、時間領域において、このＰＤＳＣＨの割り当てに用いられた下りリンクアサインメントを含むＰＤＣＣＨと同一の下りリンクのサブフレームに配置され、周波数領域において、このＰＤＳＣＨの割り当てに用いられた下りリンクアサインメントを含むＰＤＣＣＨと同じ下りリンクコンポーネントキャリア、または異なる下りリンクコンポーネントキャリアに配置される。
【００５１】
下りリンクアサインメントには、この下りリンクアサインメントが、いずれの下りリンクコンポーネントキャリアのＰＤＳＣＨに対するものかを示す情報（以下、「下りリンクキャリアインディケータ（downlink carrier indicator）」と称する。）が含められる。下りリンクアサインメントに下りリンクキャリアインディケータが含まれていない場合、下りリンクキャリアインディケータを含まない下りリンクアサインメントと、この下りリンクアサインメントが対応するＰＤＳＣＨは同じ下りリンクコンポーネントキャリアで送信される。各サブフレームでは、各下りリンクコンポーネントキャリアにおいて複数のＰＤＳＣＨが周波数多重および空間多重される。下りリンク参照信号については、説明の簡略化のため図３において図示を省略するが、下りリンク参照信号は周波数領域と時間領域において分散して配置される。
【００５２】
図４は、本発明の上りリンクの無線フレームの構成の一例を示す概略図である。図４は、上りリンクコンポーネントキャリアにおける無線フレームの構成を示す。図４において、横軸は時間領域、縦軸は周波数領域である。図４に示すように、上りリンクの無線フレームは、複数の上りリンクの物理リソースブロックペア（例えば、図４の破線で囲まれた領域）から構成されている。この上りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００５３】
１個の上りリンクの物理リソースブロックペアは、時間領域で連続する２個の上りリンクの物理リソースブロック（PRB帯域幅×スロット）から構成される。１個の上りリンクの物理リソースブロック（図４において、太線で囲まれている単位）は、周波数領域において１２個のサブキャリア（１５kHz）から構成され、時間領域において７個のＳＣ−ＦＤＭＡシンボル（７１μs）から構成される。
【００５４】
時間領域においては、７個のＳＣ−ＦＤＭＡ（Single-Carrier Frequency Division Multiple Access）シンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である１msのことを、送信時間間隔（Transmit Time Interval: TTI）とも称する。周波数領域においては、上りリンクコンポーネントキャリアの帯域幅に応じて複数の上りリンクの物理リソースブロックが配置される。尚、１個のサブキャリアと１個のＳＣ−ＦＤＭＡシンボルから構成されるユニットを上りリンクリソースエレメントと称する。
【００５５】
以下、上りリンクの無線フレーム内に割り当てられるチャネルについて説明をする。上りリンクの各サブフレームでは、例えば、ＰＵＣＣＨ、ＰＵＳＣＨ、および上りリンク参照信号が割り当てられる。まず、ＰＵＣＣＨについて説明をする。ＰＵＣＣＨは、上りリンクコンポーネントキャリアの帯域の両端の上りリンクの物理リソースブロックペア（左斜線でハッチングがされた領域）に割り当てられる。ＰＵＣＣＨには、下りリンクのチャネル品質を示すチャネル品質情報（Channel Quality Information）、上りリンクの無線リソースの割り当ての要求を示すスケジューリング要求（Scheduling Request: SR）、ＰＤＳＣＨに対するＡＣＫ／ＮＡＣＫなど、通信の制御に用いられる情報である上りリンク制御情報（Uplink Control Information: UCI）の信号が配置される。各サブフレームでは、各上りリンクコンポーネントキャリアにおいて複数のＰＵＣＣＨが周波数多重および符号多重される。
【００５６】
次に、ＰＵＳＣＨについて説明をする。ＰＵＳＣＨは、ＰＵＣＣＨが配置される上りリンクの物理リソースブロック以外の上りリンクの物理リソースブロックペア（ハッチングされない領域）に割り当てられる。ＰＵＳＣＨには、上りリンク制御情報、および上りリンク制御情報以外の情報である上りリンクデータ（トランスポートブロック; Transport Block）の信号が配置される。ＰＵＳＣＨの無線リソースは、上りリンクグラントを用いて割り当てられ、この上りリンクグラントを含むＰＤＣＣＨが配置された下りリンクのサブフレームから所定の時間後（例えば、４ms後、４サブフレーム後、４ＴＴＩ後）の上りリンクのサブフレームに配置される。
【００５７】
上りリンクグラントには、この上りリンクグラントが、いずれの上りリンクコンポーネントキャリアのＰＵＳＣＨに対するものかを示す情報（以下、「上りリンクキャリアインディケータ（uplink carrier indicator）」と称する。）が含められる。また、上りリンクグラントに上りリンクキャリアインディケータが含まれていない場合は、上りリンクキャリアインディケータを含まない上りリンクグラントは、この上りリンクグラントが対応する上りリンクコンポーネントキャリアと予め対応付けられた下りリンクコンポーネントキャリアで送信される。各サブフレームでは、各上りリンクコンポーネントキャリアにおいて複数のＰＵＳＣＨが周波数多重および空間多重される。上りリンク参照信号は、ＰＵＣＣＨやＰＵＳＣＨと時間多重されるが、説明の簡略化のため詳細な説明は省略する。
【００５８】
図５は、本発明の上りリンクのＨＡＲＱプロセスを説明するための概略図である。図５において、横軸は時間領域であり、格子状の線でハッチングがされた四角はＰＨＩＣＨを示し、右斜線でハッチングがされた四角はＰＤＣＣＨ（上りリンクグラント）を示し、横線でハッチングがされた四角はＰＵＳＣＨを示し、ＰＨＩＣＨおよびＰＤＣＣＨおよびＰＵＳＣＨに付された番号は、各チャネルが対応するＨＡＲＱプロセスの番号を示している。本発明では、上りリンクコンポーネントキャリア毎に複数（８つ）のＨＡＲＱプロセスが独立して同時に動作する。
【００５９】
ＰＵＳＣＨが対応するＨＡＲＱプロセスの番号は上りリンクのサブフレームの番号と対応付けられる。例えば、サブフレームの番号を上りリンクコンポーネントキャリア内で同時に動作するＨＡＲＱプロセスの数で割った余りの値を、そのサブフレームに対応する上りリンクコンポーネントキャリア内のＨＡＲＱプロセスの番号とする。ＰＨＩＣＨおよびＰＤＣＣＨ（上りリンクグラント）が対応するＨＡＲＱプロセスの番号は下りリンクのサブフレームの番号と対応付けられる。上りリンクと下りリンクでは対応するＨＡＲＱプロセスの番号が４つシフトされている。
【００６０】
異なる上りリンクコンポーネントキャリアに関連するＨＡＲＱプロセスは、同一のサブフレームで同時に実行することができる。例えば、図２のように３つの上りリンクコンポーネントキャリアを用いて移動局装置１と基地局装置３が通信を行なう場合、８×３＝２４のＨＡＲＱプロセスが独立して同時に動作することになる。説明の簡略化のため、図５では１つの上りリンクコンポーネントキャリアのＰＵＳＣＨのみ示す。
【００６１】
ＨＡＲＱプロセスそれぞれは、１つのＨＡＲＱバッファに関連している。移動局装置１は、ＰＵＳＣＨで送信する上りリンクデータ（トランスポートブロック）を、そのＰＵＳＣＨと対応するＨＡＲＱプロセスのＨＡＲＱバッファに保存し、対応するＰＤＣＣＨで最後に受信した上りリンクグラントを保存し、ＨＡＲＱフィードバックとしてセットしたＡＣＫまたはＮＡＣＫを記憶する。基地局装置３は、ＰＵＳＣＨで受信し、復号した上りリンクデータをそのＰＵＳＣＨと対応するＨＡＲＱプロセスのＨＡＲＱバッファに保存し、対応するＰＤＣＣＨで最後に送信した上りリンクグラントを保存する。
【００６２】
尚、移動局装置１がＭＩＭＯ（Multiple Input Multiple Output）ＳＭ（Spatial Multiplexing）を用いて、１つのＰＵＳＣＨで複数の上りリンクデータ（トランスポートブロック）を送信できる場合は、ＨＡＲＱプロセスそれぞれは、１つのＰＵＳＣＨで送信される上りリンクデータ（トランスポートブロック）の数と同じ数のＨＡＲＱバッファに関連付けられる必要がある。
【００６３】
ある上りリンクコンポーネントキャリアのＨＡＲＱプロセスに対するＰＤＣＣＨ（上りリンクグラント）は、ＨＡＲＱプロセスのタイミング毎に異なる下りリンクコンポーネントキャリアで送信されてもよいし、上りリンクコンポーネントキャリア毎に対応させた下りリンクコンポーネントキャリアでのみ送信されてもよい。ある上りリンクコンポーネントキャリアのＨＡＲＱプロセスに対するＰＨＩＣＨは、そのＨＡＲＱプロセスに関するＰＤＣＣＨ（上りリンクグラント）が最後に送信された下りリンクコンポーネントキャリアで送信される。
【００６４】
例えば、図５において、移動局装置１は、ｎ番目の下りリンクのサブフレームで０番のＨＡＲＱプロセスに関する初期送信を指示するＰＤＣＣＨ（上りリンクグラント）を受信し、ｎ＋４番目の上りリンクのサブフレームで、このＰＤＣＣＨ（上りリンクグラント）に従って０番のＨＡＲＱプロセスに関するＰＵＳＣＨの初期送信を行なう。移動局装置１は、ｎ＋８番目の下りリンクのサブフレームで０番のＨＡＲＱプロセスに関するＰＨＩＣＨとＰＤＣＣＨ（上りリンクグラント）を受信し、ｎ＋１２番目の上りリンクのサブフレームで、このＰＨＩＣＨ、またはＰＤＣＣＨ（上りリンクグラント）に従って０番のＨＡＲＱプロセスに関するＰＵＳＣＨの初期送信または再送信を行なう。
【００６５】
このように、同じＨＡＲＱプロセスに対応する下りリンクのサブフレームと上りリンクのサブフレームは４ms（４サブフレーム、４ＴＴＩ）ずれている。また、同じＨＡＲＱプロセスに対するＰＨＩＣＨおよびＰＤＣＣＨ（上りリンクグラント）およびＰＵＳＣＨは８ms（８サブフレーム、８ＴＴＩ）間隔で送信される。
【００６６】
本発明の上りリンクのＨＡＲＱプロセスにおいて、移動局装置１は、まずＰＨＩＣＨで受信したＨＡＲＱインディケータが示すＡＣＫまたはＮＡＣＫをＨＡＲＱフィードバックとしてセットする。移動局装置１は、ＰＵＳＣＨの初期送信を指示する上りリンクグラントをＰＤＣＣＨで受信した場合は、ＨＡＲＱフィードバックとしてセットされているＡＣＫまたはＮＡＣＫに依存せず、ＰＵＳＣＨで送信する新しい上りリンクデータを決定し、この上りリンクデータをＨＡＲＱバッファに記憶し、受信した上りリンクグラントを記憶し、記憶されている上りリンクグラントに従ってＰＵＳＣＨの初期送信を行ない、ＨＡＲＱフィードバックとしてＮＡＣＫをセットする。
【００６７】
移動局装置１は、ＰＵＳＣＨの再送信を指示する上りリンクグラントをＰＤＣＣＨで受信した場合は、ＨＡＲＱフィードバックとしてセットされているＡＣＫまたはＮＡＣＫに依存せず、記憶している上りリンクグラントを受信した上りリンクグラントに上書きし、上書きされた上りリンクグラントに従ってＨＡＲＱバッファに記憶されている上りリンクデータをＰＵＳＣＨで再送信し、ＨＡＲＱフィードバックとしてＮＡＣＫをセットする。移動局装置１は、ＨＡＲＱバッファが空の場合は、上りリンクグラントが初期送信を指示しているか、再送信を指示しているかに依存せず、ＰＵＳＣＨで送信する上りリンクデータを決定し、この上りリンクデータをＨＡＲＱバッファに記憶し、受信した上りリンクグラントを記憶し、記憶されている上りリンクグラントに従ってＰＵＳＣＨの初期送信を行ない、ＨＡＲＱフィードバックとしてＮＡＣＫをセットする。
【００６８】
移動局装置１は、ＰＵＳＣＨに対する上りリンクグラントを受信せず、ＨＡＲＱフィードバックとしてＮＡＣＫがセットされている場合は、記憶されている上りリンクグラントに従ってＨＡＲＱバッファに記憶されている上りリンクデータをＰＵＳＣＨで再送信する。移動局装置１は、ＰＵＳＣＨに対する上りリンクグラントを受信せず、ＨＡＲＱフィードバックとしてＡＣＫがセットされている場合は、ＰＵＳＣＨの送信を行なわず、そのＨＡＲＱプロセスが管理するＨＡＲＱバッファに記憶されている上りリンクデータを保持する。
【００６９】
移動局装置１は、図５においてＤＬ  ＣＣ−１のｎ番目のサブフレームにおいてＵＬ  ＣＣ−１のＰＵＳＣＨに対する上りリンクグラントを受信すると、受信した上りリンクグラントに従ってＵＬ  ＣＣ−１のｎ＋４番目のサブフレームにおいてＰＵＳＣＨを送信し、ＨＡＲＱフィードバックとしてＮＡＣＫをセットする。移動局装置１が、このＰＵＳＣＨに対するＰＨＩＣＨをＤＬ  ＣＣ−１で受信するｎ＋８番目のサブフレームの前にＤＬ  ＣＣ−１がデアクティベートされた場合に、移動局装置１はｎ＋８番目のサブフレームにおいてＤＬ  ＣＣ−１でＰＨＩＣＨを受信できない。このとき移動局装置１は、ＨＡＲＱフィードバックとしてＮＡＣＫをセットしたままだと、０番目のＨＡＲＱプロセスに対応する上りリンクのサブフレーム（（ｎ＋４＋８×ｉ）番目のサブフレーム：ｉは整数）で、ｎ番目のＤＬ  ＣＣ−１のサブフレームにおいて受信した上りリンクグラントに従ってＰＵＳＣＨの再送信を続けることになる。
【００７０】
このような不必要なＰＵＳＣＨの再送信を避けるため、本発明では以下の手段を講じる。図６は、本発明の移動局装置１の動作の一例を示すフローチャート図である。移動局装置１は、ＨＡＲＱプロセス毎に図６の処理を行なう。移動局装置１は、ＨＡＲＱプロセスの処理が開始されると、ＨＡＲＱプロセスに対するＰＨＩＣＨを受信する下りリンクコンポーネントキャリア（つまり、ＨＡＲＱプロセスに対する上りリンクグラントを最後に受信した下りリンクコンポーネントキャリア）がアクティベートされているか否かを判定する（ステップＳ１００）。
【００７１】
移動局装置１は、ＨＡＲＱプロセスに対するＰＨＩＣＨを受信する下りリンクコンポーネントキャリアがアクティベートされていると判定した場合は、ＰＨＩＣＨを受信し、受信したＰＨＩＣＨに含まれるＨＡＲＱインディケータが示すＡＣＫまたはＮＡＣＫをＨＡＲＱフィードバックとしてセットする（ステップＳ１０１）。次に移動局装置１は、自装置宛ての上りリンクグラントを検出したか否かを判定する（ステップＳ１０３）。移動局装置１は、上りリンクグラントを検出したと判定した場合は、検出した上りリンクグラントを記憶し、ＨＡＲＱフィードバックとしてＮＡＣＫをセットし（ステップＳ１０４）、記憶した上りリンクグラントに従ってＰＵＳＣＨの初期送信または再送信を行なう（ステップＳ１０６）。
【００７２】
移動局装置１は、ステップＳ１０３において上りリンクグラントを検出しなかったと判定した場合は、ＨＡＲＱフィードバックとしてＡＣＫとＮＡＣＫのどちらがセットされているかを判定する（ステップＳ１０５）。移動局装置１は、ステップＳ１０５においてＨＡＲＱフィードバックとしてＮＡＣＫがセットされていると判定した場合は、記憶されている上りリンクグラントに従ってＰＵＳＣＨの再送信を行なう（ステップＳ１０６）。移動局装置１は、ステップＳ１０５においてＨＡＲＱフィードバックとしてＡＣＫがセットされていると判定した場合は、ＰＵＳＣＨの送信を行なわず、ＨＡＲＱプロセスに対応するＨＡＲＱバッファの内容を保持する（ステップＳ１０７）。
【００７３】
移動局装置１は、ステップＳ１０６およびステップＳ１０７の後に、このＨＡＲＱプロセスに対応する次の下りリンクのサブフレームにおいてステップＳ１００に戻り（ステップＳ１０８）、ＨＡＲＱプロセスに対するＰＨＩＣＨを受信する下りリンクコンポーネントキャリアがアクティベートされているか否かを判定する。
【００７４】
ステップＳ１００において、移動局装置１は、ＰＨＩＣＨを受信する下りリンクコンポーネントキャリアがアクティベートされていない、つまりデアクティベートされていると判定した場合は、ＰＨＩＣＨを受信せず、ＨＡＲＱフィードバックとしてＡＣＫをセットする（ステップＳ１０２）。この上りリンクコンポーネントキャリアのＨＡＲＱプロセスに対する上りリンクグラントが送信されることが可能な下りリンクコンポーネントキャリアがアクティベートされている下りリンクコンポーネントキャリアの中にない場合は、移動局装置１は、ステップＳ１０２でＡＣＫをセットした後に、ステップＳ１０３において上りリンクグラントを検出しなかったと判定し、ステップＳ１０５においてＨＡＲＱフィードバックにＡＣＫがセットされていると判定し、ステップＳ１０７において、ＰＵＳＣＨの送信を行なわず、ＨＡＲＱプロセスに対応するＨＡＲＱバッファの内容を保持する。
【００７５】
この上りリンクコンポーネントキャリアのＨＡＲＱプロセスに対する上りリンクグラントが送信されることが可能な下りリンクコンポーネントキャリアがアクティベートされている下りリンクコンポーネントキャリアの中にある場合は、基地局装置３が上りリンクグラントが送信されることが可能なアクティベートされている下りリンクコンポーネントキャリアで上りリンクグラントを送信することで、移動局装置１は、ステップＳ１０２でＡＣＫをセットした後に、ステップＳ１０３において上りリンクグラントを検出したと判定し、ステップＳ１０６において、受信および検出した上りリンクグラントに従ってＰＵＳＣＨの初期送信または再送信を行なうことができる。
【００７６】
尚、ＨＡＲＱプロセスに関連するＨＡＲＱバッファが空の場合や、移動局装置１の電源を入れてからＨＡＲＱプロセスが一度も基地局装置との通信に用いられていない場合や、ＨＡＲＱフィードバックとしてＡＣＫがセットされている場合などは、ステップＳ１０１において移動局装置１は、このＨＡＲＱプロセスに対応するＰＨＩＣＨを受信しなくてもよい。尚、ステップＳ１０７でＨＡＲＱバッファの内容を保持した後に、再送信を指示する上りリンクグラントを受信した場合は、そのＨＡＲＱバッファの内容をＰＵＳＣＨで再送信することができる。例えば、基地局装置３は、アクティベートされている下りリンクコンポーネントキャリアで上りリンクグラントを送信して、上りリンクグラントの送信に用いた下りリンクコンポーネントキャリアをデアクティベートし、デアクティベートした下りリンクコンポーネントキャリアを再度アクティベートし、前回アクティベートされた状態で送信されたＰＵＳＣＨの再送を移動局装置１に指示することができる。
【００７７】
図７は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。また、上位層処理部１０１は、無線リソース制御部１０１１、ＨＡＲＱ制御部１０１３とＨＡＲＱ記憶部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００７８】
上位層処理部１０１は、ユーザの操作等により生成された上りリンクデータやＲＲＣシグナルやＭＡＣ  ＣＥを、送信部２０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部１０１はＰＤＣＣＨで受信された下りリンク制御情報などに基づき、受信部１０５、および送信部１０７の制御を行うために制御情報を生成し、制御部１０３に出力する。上位層処理部１０１が備える無線リソース制御部１０１１は、自装置の各種設定情報の管理を行なう。例えば、無線リソース制御部１０１１は、Ｃ−ＲＮＴＩなどのＲＮＴＩの管理を行なう。また、無線リソース制御部１０１１は、上りリンクの各チャネルに配置される情報を生成し、送信部１０７に出力する。
【００７９】
無線リソース制御部１０１１は、基地局装置３から通知されたＲＲＣシグナルで設定された下りリンクコンポーネントキャリアと上りリンクコンポーネントキャリア、およびアクティベーションコマンドなどでアクティベートまたはデアクティベートされた下りリンクコンポーネントキャリアの管理を行なう。無線リソース制御部１０１１は、設定された下りリンクコンポーネントキャリアに対する下りリンクアサインメントおよび設定された上りリンクコンポーネントキャリアに対する上りリンクグラントが配置される下りリンクコンポーネントキャリアを管理する。
【００８０】
上位層処理部１０１が備えるＨＡＲＱ制御部１０１３は、上りリンクのＨＡＲＱプロセスの管理を行なう。上位層処理部１０１が備えるＨＡＲＱ記憶部１０１５は、ＨＡＲＱ制御部１０１３が管理する上りリンクのＨＡＲＱプロセスそれぞれに関連するＨＡＲＱバッファを有する。ＨＡＲＱ記憶部１０１５は、ＨＡＲＱプロセスそれぞれに関連する上りリンクグラントやＨＡＲＱフィードバック（ＡＣＫまたはＮＡＣＫ）を記憶する。尚、下りリンクのＨＡＲＱプロセスは、本発明と関連がないため説明を省略する。
【００８１】
ＨＡＲＱ制御部１０１３は、ＨＡＲＱプロセス毎に以下の動作をする。ＨＡＲＱ制御部１０１３は、ＰＵＳＣＨで送信される上りリンクデータ（トランスポートブロック）をＨＡＲＱバッファに入力し、受信部１０５から入力されるＰＨＩＣＨで受信されたＨＡＲＱインディケータが示すＡＣＫまたはＮＡＣＫと、ＰＤＣＣＨで受信された上りリンクグラントをＨＡＲＱ記憶部１０１５に記憶させる。ＨＡＲＱ制御部１０１３は、ＨＡＲＱ記憶部１０１５に記憶させたＡＣＫまたはＮＡＣＫ、および上りリンクグラントに基づき、図６のフローチャート図に従ってＨＡＲＱの制御を行なう。
【００８２】
ＨＡＲＱ制御部１０１３は、ＰＵＳＣＨが送信される上りリンクコンポーネントキャリアおよびサブフレームの番号（タイミング）と、ＨＡＲＱプロセスを対応付ける。ＨＡＲＱ制御部１０１３は、上りリンクグラントが最後に受信された下りリンクコンポーネントキャリア内の複数のＰＨＩＣＨのうち、ＰＵＳＣＨの物理リソースブロックの割り当てと、ＰＵＳＣＨと時間多重される上りリンク参照信号のサイクリックシフトに関する上りリンクグラントに含まれる情報から、このＨＡＲＱプロセスに対応するＰＨＩＣＨを決定する。
【００８３】
ＨＡＲＱ制御部１０１３は、上りリンクグラントに含まれる上りリンクキャリアインディケータと、この上りリンクグラントが受信されたサブフレームの番号（タイミング）から、受信された上りリンクグラントが対応するＨＡＲＱプロセスを決定する。ＨＡＲＱ制御部１０１３は、上りリンクグラントに上りリンクキャリアインディケータが含まれない場合は、この上りリンクグラントが受信された下りリンクコンポーネントキャリアとサブフレームの番号（タイミング）から、受信された上りリンクグラントが対応するＨＡＲＱプロセスを決定する。
【００８４】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。受信部１０５は、制御部１０３から入力された制御信号に従って、送受信アンテナ１０９を介して基地局装置３から受信した受信信号を、分離、復調、復号し、復号した情報を上位層処理部１０１に出力する。
【００８５】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００８６】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンクアサインメントで通知された無線リソースの割り当て情報などに基づいて行われる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【００８７】
復調部１０５３は、ＰＨＩＣＨに対して、ＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【００８８】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００８９】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【００９０】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。符号化部１０７１は、上位層処理部１０１から入力された上りリンク制御情報を畳込み符号化、ブロック符号化等の符号化を行い、上りリンクデータを上りリンクグラントで通知された符号化率に関する情報に基づいてターボ符号化を行なう。変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【００９１】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフトなどを基に予め定められた規則で求まる、基地局装置３が既知の系列を生成する。多重部１０７５は、制御部１０３から入力された制御信号に従って、ＰＵＳＣＨの変調シンボルを並列に並び替えてから離散フーリエ変換（Discrete Fourier Transform: DFT）し、ＰＵＣＣＨとＰＵＳＣＨの信号と生成した上りリンク参照信号を多重する。
【００９２】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００９３】
図８は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、ＨＡＲＱ制御部３０１３とＨＡＲＱ記憶部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００９４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部３０１は、受信部３０５、および送信部３０７の制御を行うために制御情報を生成し、制御部３０３に出力する。上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥを生成し、又は上位ノードから取得し、送信部３０７に出力する。また、無線リソース制御部３０１１は、移動局装置１各々の各種設定情報の管理をする。例えば、無線リソース制御部３０１１は、移動局装置１にＣ−ＲＮＴＩを割り当てるなどＲＮＴＩの管理を行なう。
【００９５】
無線リソース制御部３０１１は、移動局装置１それぞれに設定される下りリンクコンポーネントキャリアと上りリンクコンポーネントキャリア、およびアクティベートまたはデアクティベートした下りリンクコンポーネントキャリアの管理を行なう。無線リソース制御部３０１１は、移動局装置１それぞれに、通信に用いる下りリンクコンポーネントキャリアと上りリンクコンポーネントキャリアを設定し、ＲＲＣシグナルでこの設定に関する情報を通知するよう、制御部３０３を介して、送信部３０７を制御する。
【００９６】
無線リソース制御部３０１１は、移動局装置１それぞれに、通信に用いる下りリンクコンポーネントキャリアと上りリンクコンポーネントキャリアに対するＰＤＣＣＨが配置される下りリンクコンポーネントキャリアを設定し、ＲＲＣシグナルでこの設定に関する情報を通知するよう、制御部３０３を介して、送信部３０７を制御する。無線リソース制御部３０１１は、移動局装置１それぞれに、ＰＤＣＣＨまたはＭＡＣ  ＣＥでアクティベーションコマンドを通知するよう、制御部３０３を介して、送信部３０７を制御する。
【００９７】
上位層処理部３０１が備えるＨＡＲＱ制御部３０１３は、移動局装置１それぞれの上りリンクのＨＡＲＱプロセスの管理を行なう。上位層処理部３０１が備えるＨＡＲＱ記憶部３０１５は、ＨＡＲＱ制御部３０１３が管理する上りリンクのＨＡＲＱプロセスそれぞれに対応する複数のＨＡＲＱバッファを有する。尚、下りリンクのＨＡＲＱプロセスは、本発明と関連がないため説明を省略する。ＨＡＲＱ制御部３０１３、受信処理部３０５から入力されたＰＵＳＣＨで受信された上りリンクデータ（トランスポートブロック）をＨＡＲＱバッファに入力し、上りリンクデータに付加された誤り検出符号（巡回冗長検査符号）を用いて上りリンクデータの復号に成功したか否かを判定する。
【００９８】
ＨＡＲＱ制御部３０１３は、上りリンクデータの復号に成功したと判定した場合は、ＡＣＫを示すＨＡＲＱインディケータを生成し、上りリンクデータの復号に失敗したと判定した場合は、ＮＡＣＫを示すＨＡＲＱインディケータを生成し、送信部３０７に出力する。ＨＡＲＱ制御部３０１３は、上りリンクデータの復号に失敗したと判定した場合は、無線リソース割当や変調方式および符号化率に関する情報を変更し、変更した情報を含む再送信を指示する上りリンクグラントを送信するよう、制御部３０３を介して、送信部３０７を制御してもよい。
【００９９】
ＨＡＲＱ制御部３０１３は、移動局装置１において再送信された上りリンクデータが受信部３０５から入力された場合は、既にＨＡＲＱバッファに保存している上りリンクデータと再送信された上りリンクデータを合成し、上りリンクデータの復号に成功したか否かを判定する。ＨＡＲＱ制御部３０１３は、移動局装置１がＰＵＳＣＨを送信する上りリンクコンポーネントキャリアおよびサブフレームの番号（タイミング）と、ＨＡＲＱプロセスの番号を対応付ける。
【０１００】
ＨＡＲＱ制御部３０１３は、あるＨＡＲＱプロセスに対して上りリンクグラントが最後に送信された下りリンクコンポーネントキャリア内の複数のＰＨＩＣＨのうち、ＰＵＳＣＨの物理リソースブロックの割り当てと、ＰＵＳＣＨと時間多重される上りリンク参照信号のサイクリックシフトに関する上りリンクグラントに含まれる情報から、このＨＡＲＱプロセスに対応するＡＣＫ／ＮＡＣＫを送信するのに用いるＰＨＩＣＨを決定する。
【０１０１】
制御部３０３は、上位層処理部３０１からの制御情報に基づいて、受信部３０５、および送信部３０７の制御を行う制御信号を生成する。制御部３０３は、生成した制御信号を受信部３０５、および送信部３０７に出力して受信部３０５、および送信部３０７の制御を行う。
【０１０２】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信した上りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１０３】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行われる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１０４】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。
【０１０５】
復号化部３０５１は、復調したＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、受信した符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１０６】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１０７】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行う。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルと生成された下りリンク参照信号を多重する。
【０１０８】
無線送信部３０７７は、多重された変調シンボルを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１０９】
このように、本発明によれば、複数の下りリンクコンポーネントキャリアを用いて移動局装置１と基地局装置３が通信をする無線通信システムにおいて、移動局装置１が基地局装置３に送信した上りリンクデータ（トランスポートブロック）に対するＨＡＲＱインディケータが配置されるＰＨＩＣＨを受信する下りリンクコンポーネントキャリアがデアクティベートされている場合は、移動局装置１は、ＰＨＩＣＨでＨＡＲＱインディケータを受信せずに、対応するＨＡＲＱプロセスにおいてＨＡＲＱフィードバックとしてＡＣＫをセットし、基地局装置３は、移動局装置１がＰＨＩＣＨに配置されるＨＡＲＱインディケータを受信せずに、対応するＨＡＲＱプロセスにおいてＨＡＲＱフィードバックとしてＡＣＫをセットしたと判断する。
【０１１０】
尚、本発明は、ＰＨＩＣＨが受信される下りリンクコンポーネントキャリアが、ＲＲＣシグナルを用いて通信に用いる下りリンクコンポーネントキャリアの設定から除かれた場合にも同様の効果を得ることができる。つまり、ＰＨＩＣＨが受信される下りリンクコンポーネントキャリアが通信に用いる下りリンクコンポーネントキャリアから除かれた場合に、移動局装置１は、対応するＨＡＲＱプロセスにＡＣＫをセットする。
【０１１１】
尚、図６のステップＳ１００およびＳ１０２において、移動局装置１がＰＨＩＣＨを受信するタイミングで下りリンクコンポーネントキャリアがデアクティベートされている場合に、移動局装置１はＡＣＫをセットするが、図６のステップＳ１０６で移動局装置１がＰＵＳＣＨを送信した時点で、このＰＵＳＣＨに対するＰＨＩＣＨを受信するまでにＰＨＩＣＨを受信する下りリンクコンポーネントキャリアがデアクティベートされることがわかっている場合には、ステップＳ１０６の後に移動局装置１はＡＣＫをセットしてもよい。これにより、移動局装置１は、ＰＨＩＣＨを受信する下りリンクコンポーネントキャリアがデアクティベートをされている場合に、基地局装置３の制御を離れ、不必要なＰＵＳＣＨの再送信をすることを避け、ＰＵＳＣＨの再送信の制御を効率的に行なうことができる。
【０１１２】
尚、本発明を、ある上りリンクコンポーネントキャリアに対するＰＨＩＣＨが受信される下りリンクコンポーネントキャリアが、その上りリンクコンポーネントキャリアに対する上りリンクグラントが配置される下りリンクコンポーネントキャリアではないとＲＲＣシグナルを用いて設定された場合に適用してもよい。つまり、ＰＨＩＣＨが受信される下りリンクコンポーネントキャリアが、上りリンクグラントが配置される下りリンクコンポーネントキャリアから除かれた場合に、移動局装置１は、対応するＨＡＲＱプロセスにＡＣＫをセットする。
【０１１３】
例えば、図２において、ＵＬ  ＣＣ−１に対する上りリンクグラントが送信される下りリンクコンポーネントキャリアがＤＬ  ＣＣ−１と設定されていた場合は、移動局装置１は、ＵＬ  ＣＣ−１に対する上りリンクグラントおよびＰＨＩＣＨをＤＬ  ＣＣ−１で受信する。移動局装置１がＤＬ  ＣＣ−１でＰＨＩＣＨを受信する前に、基地局装置３がＵＬ  ＣＣ−１に対する上りリンクグラントを送信する下りリンクコンポーネントキャリアをＤＬ  ＣＣ−２に再設定し、移動局装置１がこの設定を適用した場合は、移動局装置１は、ＤＬ  ＣＣ−１でＵＬ  ＣＣ−１に対するＰＨＩＣＨを受信し、ＤＬ  ＣＣ−２でＵＬ  ＣＣ−１に対する上りリンクグラントを監視することになり、移動局装置１の受信処理の負荷が増大する。
【０１１４】
そこで、本発明を適用することで、移動局装置１がＤＬ  ＣＣ−１でＰＨＩＣＨを受信する前に、基地局装置３がＵＬ  ＣＣ−１に対する上りリンクグラントを送信する下りリンクコンポーネントキャリアをＤＬ  ＣＣ−２に再設定し、移動局装置１がこの設定を適用した場合は、移動局装置１は、ＵＬ  ＣＣ−１のＨＡＲＱプロセスにＡＣＫをセットし、ＤＬ  ＣＣ−１のＰＨＩＣＨの受信処理をせずに、ＤＬ  ＣＣ−２の上りリンクグラントのみ監視するため、移動局装置１の受信処理の負荷を低減することができる。
【０１１５】
（第２の実施形態）
以下、図面を参照しながら本発明の第２の実施形態について詳しく説明する。
【０１１６】
本発明の第２の実施形態では、移動局装置１は、上りリンクコンポーネントキャリアに対するＰＨＩＣＨ（ＨＡＲＱインディケータ）およびＰＤＣＣＨ（上りリンクグラント）が配置される下りリンクコンポーネントキャリア全てがデアクティベートされた場合に、この上りリンクコンポーネントキャリアに関連するＨＡＲＱバッファの内容を消去（フラッシュ）し、基地局装置３は、移動局装置１に対して上りリンクコンポーネントキャリアに対するＰＨＩＣＨ（ＨＡＲＱインディケータ）およびＰＤＣＣＨ（上りリンクグラント）が配置される下りリンクコンポーネントキャリア全てをデアクティベートした場合に、移動局装置１が、この上りリンクコンポーネントキャリアに関連するＨＡＲＱバッファの内容を消去（フラッシュ）すると判断する。
【０１１７】
尚、ある上りリンクコンポーネントキャリアに対する上りリンクグラントが配置される下りリンクコンポーネントキャリアが１つに限定されている場合は、上りリンクコンポーネントキャリアに対するＨＡＲＱインディケータが配置される下りリンクコンポーネントキャリアがデアクティベートされた場合に、この上りリンクコンポーネントキャリアに関連するＨＡＲＱバッファの内容を消去（フラッシュ）すると表現することもできる。
【０１１８】
例えば、図２において、移動局装置１は、ＵＬ  ＣＣ−１に対する上りリンクグラントはＤＬ  ＣＣ−１のみに配置されると設定されている場合は、ＤＬ  ＣＣ−１がデアクティベートされるとＵＬ  ＣＣ−１に関連する全てのＨＡＲＱバッファの内容を消去する。例えば、図２において、移動局装置１に対してＵＬ  ＣＣ−１に対する上りリンクグラントはＤＬ  ＣＣ−１とＤＬ  ＣＣ−２とＤＬ  ＣＣ−３に配置されると設定されている場合は、移動局装置１は、ＤＬ  ＣＣ−１とＤＬ  ＣＣ−２とＤＬ  ＣＣ−３全てがデアクティベートされるとＵＬ  ＣＣ−１に関連する全てのＨＡＲＱバッファの内容を消去する。
【０１１９】
このように、移動局装置１は、対応するＰＨＩＣＨ（ＨＡＲＱインディケータ）およびＰＤＣＣＨ（上りリンクグラント）を受信することができないＨＡＲＱプロセスに関連するＨＡＲＱバッファの内容を消去することで、ＨＡＲＱプロセスのＨＡＲＱフィードバックとしてＮＡＣＫがセットされていてもＰＵＳＣＨの再送信を行なわない。
【０１２０】
尚、上りリンクコンポーネントキャリアに対するＨＡＲＱインディケータおよび上りリンクグラントが配置される可能性のある下りリンクコンポーネントキャリア全てがデアクティベートされても、ＨＡＲＱプロセスにおいてＰＵＳＣＨの送信が決定されたが、まだＰＵＳＣＨの送信を行なっていない場合（ペンディング（pending）しているＰＵＳＣＨの送信がある場合）は、このＰＵＳＣＨを送信してからＨＡＲＱバッファの内容を消去してもよい。
【０１２１】
例えば、移動局装置１は、上りリンクグラントを受信してから、受信した上りリンクグラントに基づいてＰＵＳＣＨを送信するまでの間（４ms、４サブフレーム、４ＴＴＩ）に、上りリンクグラントを受信した下りリンクコンポーネントキャリアがデアクティベートされた場合、ＰＵＳＣＨを一度送信してからＨＡＲＱバッファの内容を消去してもよい。このように、ＰＨＩＣＨ（ＨＡＲＱインディケータ）またはＰＤＣＣＨ（上りリンクグラント）を受信してから、４サブフレーム後に実際に送信される前のＰＵＳＣＨのことをペンディングしているＰＵＳＣＨと称す。
【０１２２】
図９は、本発明の第２の実施形態の移動局装置１の動作の一例を示すフローチャート図である。移動局装置１は、ＨＡＲＱプロセス毎に図９の処理を行なう。処理が開始されると、移動局装置１は、ある上りリンクコンポーネントキャリアに関連するＨＡＲＱプロセスに対するＰＨＩＣＨ（ＨＡＲＱインディケータ）およびＰＤＣＣＨ（上りリンクグラント）が配置される下りリンクコンポーネントキャリアがデアクティベートされているか判定する（ステップＳ２００）。
【０１２３】
移動局装置１は、ステップＳ２００において、ある上りリンクコンポーネントキャリアに関連するＨＡＲＱプロセスに対するＰＨＩＣＨ（ＨＡＲＱインディケータ）およびＰＤＣＣＨ（上りリンクグラント）が配置される下りリンクコンポーネントキャリア全てがデアクティベートされていると判定した場合は、ペンディングしているＰＵＳＣＨの送信があるか判定する（ステップＳ２０１）。
【０１２４】
移動局装置１は、ステップＳ２０１においてペンディングしているＰＵＳＣＨの送信があると判定した場合は、ペンディングしているＰＵＳＣＨの送信を行った後に（ステップＳ２０２）、この上りリンクコンポーネントキャリアに関連するＨＡＲＱバッファの内容を消去する（ステップＳ２０３）。移動局装置１は、ステップＳ２０１においてペンディングしているＰＵＳＣＨの送信がないと判定した場合は、ステップＳ２０３に進み、この上りリンクコンポーネントキャリアに関連するＨＡＲＱバッファの内容を消去する。
【０１２５】
尚、移動局装置１はステップＳ２００において、ある上りリンクコンポーネントキャリアに関連するＨＡＲＱプロセスに対するＰＨＩＣＨ（ＨＡＲＱインディケータ）およびＰＤＣＣＨ（上りリンクグラント）が配置される下りリンクコンポーネントキャリア全てがデアクティベートされたと判定したら、ステップＳ２０１とステップＳ２０２を行なわずに、以降のサブフレームでその上りリンクコンポーネントキャリアのＰＵＳＣＨの送信をキャンセルし、ＨＡＲＱバッファの内容を消去するようにしてもよい（ステップＳ２０３）。ステップＳ２０３の後に、移動局装置１は処理を終了する。移動局装置１は、ステップＳ２００において上りリンクコンポーネントキャリアに関連するＨＡＲＱプロセスに対するＰＨＩＣＨ（ＨＡＲＱインディケータ）およびＰＤＣＣＨ（上りリンクグラント）が配置される下りリンクコンポーネントキャリアのうちデアクティベートされていないものが少なくとも１つあると判定した場合は、処理を終了する。
【０１２６】
第２の実施形態に係る無線通信システムと第１の実施形態に係る無線通信システムとを比較すると、移動局装置１の上位層処理部１０１が異なる。しかし、他の構成要素が持つ構成および機能は、第１の実施形態と同じであるので、第１の実施形態と同じ機能についての説明は省略する。
【０１２７】
第２の実施形態の移動局装置１の上位層処理部１０１のＨＡＲＱ制御部１０１３は、上りリンクコンポーネントキャリアに対するＰＨＩＣＨ（ＨＡＲＱインディケータ）が配置される下りリンクコンポーネントキャリアがデアクティベートされた場合に、ＨＡＲＱプロセスにＨＡＲＱフィードバックとしてＡＣＫをセットしない。そして、ＨＡＲＱ制御部１０１３は、上りリンクコンポーネントキャリアに対するＰＨＩＣＨ（ＨＡＲＱインディケータ）およびＰＤＣＣＨ（上りリンクグラント）が配置される下りリンクコンポーネントキャリア全てがデアクティベートされた場合に、ＨＡＲＱ記憶部１０１５が有する、この上りリンクコンポーネントキャリアに関連するＨＡＲＱバッファの内容を消去する。
【０１２８】
尚、移動局装置１は、下りリンクコンポーネントキャリアを、どのようにデアクティベートしたかに応じてＨＡＲＱバッファの内容を消去するタイミングを変更してもよい。移動局装置１は、アクティベーションコマンドで下りリンクの通信に用いないと通知された下りリンクコンポーネントキャリアを、アクティベーションコマンドを受信してから所定の時間後に（例えば、４ms、４サブフレーム、４ＴＴＩ）にデアクティベートする方法（以下、Explicit deactivationと称す。）、アクティベーションコマンドで下りリンクコンポーネントキャリアがアクティベートされてから所定の時間（例えば、１００ｍｓ、１００サブフレーム、１００ＴＴＩ）が経過した場合に、下りリンクコンポーネントキャリアをデアクティベートする方法、アクティベートされた下りリンクコンポーネントキャリアで最後にＰＤＣＣＨまたはＰＤＳＣＨを受信してから所定の時間（例えば、１０ｍｓ、１０サブフレーム、１０ＴＴＩ）が経過した場合に、下りリンクコンポーネントキャリアをデアクティベートする方法（以下、アクティベーションコマンドを受信してから所定の時間後にデアクティベートが行なわれる方法以外の方法をImplicit deactivationと称す。）を用いる。
【０１２９】
基地局装置３は、Implicit deactivationにより所定の時間後にデアクティベートされる下りリンクコンポーネントキャリアをアクティベートの状態に維持し続けたい場合、アクティベーションコマンドを移動局装置１に通知するか、アクティベートの状態に維持し続けたい下りリンクコンポーネントキャリアでＰＤＣＣＨまたはＰＤＳＣＨを移動局装置１に送信する。移動局装置１は、アクティベーションコマンドで下りリンクコンポーネントキャリアがアクティベートされてからの時間の経過を計測するタイマー、アクティベートされた下りリンクコンポーネントキャリアで最後にＰＤＣＣＨまたはＰＤＳＣＨを受信してからの時間の経過を計測するタイマーを備えており、アクティベーションコマンドを通知された場合、またはＰＤＣＣＨまたはＰＤＳＣＨを受信した場合、対応する下りリンクコンポーネントキャリアに対するそれらのタイマーをリセットする。例えば、移動局装置１は、Explicit deactivationの場合は、下りリンクコンポーネントキャリアをデアクティベートしたときにＨＡＲＱバッファの内容を消去し、Implicit deactivationの場合は、下りリンクコンポーネントキャリアをデアクティベートしてから所定の時間が経過してからＨＡＲＱバッファの内容を消去してもよい。
【０１３０】
これにより、基地局装置３が上りリンクの通信（ＰＵＳＣＨの再送信）を続けたいにもかかわらず、アクティベーションコマンドを移動局装置１に誤り無く通知することができずに、またはＰＤＣＣＨ、ＰＤＳＣＨを移動局装置１に適切に送信することができずに、移動局装置１がImplicit deactivationにより下りリンクコンポーネントキャリアをデアクティベートしてしまった時にも、移動局装置１が所定の時間の間はＨＡＲＱバッファの内容を保持しているため、基地局装置３は、アクティベーションコマンドを用いてデアクティベートされた下りリンクコンポーネントキャリアをアクティベートし、再送信を指示する上りリンクグラントをアクティベートした下りリンクコンポーネントキャリアで送信することで、移動局装置１にＰＵＳＣＨの再送信を即座に実行させることができる。
【０１３１】
これにより、移動局装置１は、ＰＨＩＣＨ（ＨＡＲＱインディケータ）およびＰＤＣＣＨ（上りリンクグラント）を受信する下りリンクコンポーネントキャリア全てがデアクティベートをされている場合に、基地局装置３の制御を離れ、不必要なＰＵＳＣＨの再送信をすることを避け、ＰＵＳＣＨの再送信の制御を効率的に行なうことができる。
【０１３２】
尚、本発明は、ＰＨＩＣＨ（ＨＡＲＱインディケータ）およびＰＤＣＣＨ（上りリンクグラント）が受信される下りリンクコンポーネントキャリア全てが、ＲＲＣシグナルを用いて通信に用いる下りリンクコンポーネントキャリアの設定から除かれた場合にも適用することで同様の効果を得ることができる。つまり、ＰＨＩＣＨ（ＨＡＲＱインディケータ）およびＰＤＣＣＨ（上りリンクグラント）が受信される下りリンクコンポーネントキャリア全てが設定から除かれた場合に、移動局装置１は、この上りリンクコンポーネントキャリアに関連するＨＡＲＱバッファの内容を消去する。
【０１３３】
尚、本発明を、ある上りリンクコンポーネントキャリアに対するＰＨＩＣＨが受信される下りリンクコンポーネントキャリアが、その上りリンクコンポーネントキャリアに対する上りリンクグラントが配置される下りリンクコンポーネントキャリアではないとＲＲＣシグナルを用いて設定された場合に適用してもよい。つまり、ＰＨＩＣＨが受信される下りリンクコンポーネントキャリアが、上りリンクグラントが配置される下りリンクコンポーネントキャリアから除かれた場合に、移動局装置１は、対応するＨＡＲＱプロセスにＡＣＫをセットする。
【０１３４】
例えば、図２において、ＵＬ  ＣＣ−１に対する上りリンクグラントが送信される下りリンクコンポーネントキャリアがＤＬ  ＣＣ−１と設定されていた場合は、移動局装置１は、ＵＬ  ＣＣ−１に対する上りリンクグラントおよびＰＨＩＣＨをＤＬ  ＣＣ−１で受信する。移動局装置１がＤＬ  ＣＣ−１でＰＨＩＣＨを受信する前に、基地局装置３がＵＬ  ＣＣ−１に対する上りリンクグラントを送信する下りリンクコンポーネントキャリアをＤＬ  ＣＣ−２に再設定し、移動局装置１がこの設定を適用した場合は、移動局装置１は、ＤＬ  ＣＣ−１でＵＬ  ＣＣ−１に対するＰＨＩＣＨを受信し、ＤＬ  ＣＣ−２でＵＬ  ＣＣ−１に対する上りリンクグラントをモニタすることになり、移動局装置１の受信処理の負荷が増大する。
【０１３５】
そこで、本発明を適用することで、移動局装置１がＤＬ  ＣＣ−１でＰＨＩＣＨを受信する前に、基地局装置３がＵＬ  ＣＣ−１に対する上りリンクグラントを送信する下りリンクコンポーネントキャリアをＤＬ  ＣＣ−２に再設定し、移動局装置１がこの設定を適用した場合は、移動局装置１は、ＵＬ  ＣＣ−１のＨＡＲＱプロセスに関連するＨＡＲＱバッファの内容を消去し、ＤＬ  ＣＣ−１のＰＨＩＣＨの受信処理をせずに、ＤＬ  ＣＣ−２の上りリンクグラントのみ監視するため、移動局装置１の受信処理の負荷を低減することができる。
【０１３６】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１３７】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。尚、ここでいう「コンピュータシステム」とは、移動局装置１、又は基地局装置３に内蔵されたコンピュータシステムであって、ＯＳや周辺機器等のハードウェアを含むものとする。
【０１３８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３９】
また、上述した実施形態における移動局装置１、基地局装置３の一部、又は全部を典型的には集積回路であるＬＳＩとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１４０】
（Ａ）また、本発明は、以下のような態様を採ることも可能である。すなわち、本発明の無線通信システムは、複数の下りリンクコンポーネントキャリアを用いて移動局装置と基地局装置が通信をする無線通信システムであり、前記移動局装置が前記基地局装置に送信した上りリンクデータに対するＨＡＲＱインディケータを受信する下りリンクコンポーネントキャリアがデアクティベートされている場合は、前記移動局装置は、前記ＨＡＲＱインディケータを受信せずに、ＡＣＫをセットし、前記基地局装置は、前記移動局装置が前記ＨＡＲＱインディケータを受信せずに、ＡＣＫをセットしたと判断することを特徴としている。
【０１４１】
（Ｂ）また、本発明の無線通信システムは、複数の下りリンクコンポーネントキャリアを用いて移動局装置と基地局装置が通信をする無線通信システムであり、前記移動局装置が前記基地局装置に送信した上りリンクデータに対するＨＡＲＱインディケータを受信する下りリンクコンポーネントキャリアがデアクティベートされている場合は、前記移動局装置は、前記ＨＡＲＱインディケータを受信せずに、前記上りリンクデータに対するバッファの内容を消去し、前記基地局装置は、前記移動局装置が前記ＨＡＲＱインディケータを受信せずに、前記上りリンクデータに対するバッファの内容を消去したと判断することを特徴としている。
【０１４２】
（Ｃ）また、本発明の移動局装置は、複数の下りリンクコンポーネントキャリアを用いて基地局装置と通信をする移動局装置であり、前記移動局装置は、前記基地局装置に送信した上りリンクデータに対するＨＡＲＱインディケータを受信する下りリンクコンポーネントキャリアがデアクティベートされている場合は、前記ＨＡＲＱインディケータを受信せずに、ＡＣＫをセットすることを特徴としている。
【０１４３】
（Ｄ）また、本発明の移動局装置は、複数の下りリンクコンポーネントキャリアを用いて基地局装置と通信をする移動局装置であり、前記移動局装置は、前記基地局装置に送信した上りリンクデータに対するＨＡＲＱインディケータを受信する下りリンクコンポーネントキャリアがデアクティベートされている場合は、前記ＨＡＲＱインディケータを受信せずに、前記上りリンクデータに対するバッファの内容を消去することを特徴としている。
【０１４４】
（Ｅ）また、本発明の基地局装置は、複数の下りリンクコンポーネントキャリアを用いて移動局装置と通信をする基地局装置であり、前記基地局装置は、前記移動局装置が前記基地局装置に送信した上りリンクデータに対するＨＡＲＱインディケータを受信する下りリンクコンポーネントキャリアがデアクティベートされている場合は、前記移動局装置が前記ＨＡＲＱインディケータを受信せずに、ＡＣＫをセットしたと判断することを特徴としている。
【０１４５】
（Ｆ）また、本発明の基地局装置は、複数の下りリンクコンポーネントキャリアを用いて移動局装置と通信をする基地局装置であり、前記基地局装置は、前記移動局装置が前記基地局装置に送信した上りリンクデータに対するＨＡＲＱインディケータを受信する下りリンクコンポーネントキャリアがデアクティベートされている場合は、前記移動局装置が前記ＨＡＲＱインディケータを受信せずに、前記上りリンクデータに対するバッファの内容を消去したと判断することを特徴としている。
【０１４６】
（Ｇ）また、本発明の無線通信方法は、複数の下りリンクコンポーネントキャリアを用いて基地局装置と通信をする移動局装置に用いられる無線通信方法であり、前記基地局装置に送信した上りリンクデータに対するＨＡＲＱインディケータを受信する下りリンクコンポーネントキャリアがデアクティベートされている場合は、前記ＨＡＲＱインディケータを受信せずに、ＡＣＫをセットする手段を有することを特徴としている。
【０１４７】
（Ｈ）また、本発明の無線通信方法は、複数の下りリンクコンポーネントキャリアを用いて基地局装置と通信をする移動局装置に用いられる無線通信方法であり、前記基地局装置に送信した上りリンクデータに対するＨＡＲＱインディケータを受信する下りリンクコンポーネントキャリアがデアクティベートされている場合は、前記ＨＡＲＱインディケータを受信せずに、前記上りリンクデータに対するバッファの内容を消去する手段を有することを特徴としている。
【０１４８】
（Ｉ）また、本発明の無線通信方法は、複数の下りリンクコンポーネントキャリアを用いて移動局装置と通信をする基地局装置に用いられる無線通信方法であり、前記移動局装置が前記基地局装置に送信した上りリンクデータに対するＨＡＲＱインディケータを受信する下りリンクコンポーネントキャリアがデアクティベートされている場合は、前記移動局装置が前記ＨＡＲＱインディケータを受信せずに、ＡＣＫをセットしたと判断する手段を有することを特徴としている。
【０１４９】
（Ｊ）また、本発明の無線通信方法は、複数の下りリンクコンポーネントキャリアを用いて移動局装置と通信をする基地局装置に用いられる無線通信方法であり、前記移動局装置が前記基地局装置に送信した上りリンクデータに対するＨＡＲＱインディケータを受信する下りリンクコンポーネントキャリアがデアクティベートされている場合は、前記移動局装置が前記ＨＡＲＱインディケータを受信せずに、前記上りリンクデータに対するバッファの内容を消去したと判断する手段を有することを特徴としている。
【０１５０】
（Ｋ）また、本発明の集積回路は、複数の下りリンクコンポーネントキャリアを用いて基地局装置と通信をする移動局装置に用いられる集積回路であり、前記基地局装置に送信した上りリンクデータに対するＨＡＲＱインディケータを受信する下りリンクコンポーネントキャリアがデアクティベートされている場合は、前記ＨＡＲＱインディケータを受信せずに、ＡＣＫをセットする手段を有することを特徴としている。
【０１５１】
（Ｌ）また、本発明の集積回路は、複数の下りリンクコンポーネントキャリアを用いて基地局装置と通信をする移動局装置に用いられる集積回路であり、前記基地局装置に送信した上りリンクデータに対するＨＡＲＱインディケータを受信する下りリンクコンポーネントキャリアがデアクティベートされている場合は、前記ＨＡＲＱインディケータを受信せずに、前記上りリンクデータに対するバッファの内容を消去する手段を有することを特徴としている。
【０１５２】
（Ｍ）また、本発明の集積回路は、複数の下りリンクコンポーネントキャリアを用いて移動局装置と通信をする基地局装置に用いられる集積回路であり、前記移動局装置が前記基地局装置に送信した上りリンクデータに対するＨＡＲＱインディケータを受信する下りリンクコンポーネントキャリアがデアクティベートされている場合は、前記移動局装置が前記ＨＡＲＱインディケータを受信せずに、ＡＣＫをセットしたと判断する手段を有することを特徴としている。
【０１５３】
（Ｎ）また、本発明の集積回路は、複数の下りリンクコンポーネントキャリアを用いて移動局装置と通信をする基地局装置に用いられる集積回路であり、前記移動局装置が前記基地局装置に送信した上りリンクデータに対するＨＡＲＱインディケータを受信する下りリンクコンポーネントキャリアがデアクティベートされている場合は、前記移動局装置が前記ＨＡＲＱインディケータを受信せずに、前記上りリンクデータに対するバッファの内容を消去したと判断する手段を有することを特徴としている。
【０１５４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５５】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  ＨＡＲＱ制御部
１０１５  ＨＡＲＱ記憶部
３０１１  無線リソース制御部
３０１３  ＨＡＲＱ制御部
３０１５  ＨＡＲＱ記憶部
【図１】
0005568066.tif 000002
【図２】
0005568066.tif 000003
【図３】
0005568066.tif 000004
【図４】
0005568066.tif 000005
【図５】
0005568066.tif 000006
【図６】
0005568066.tif 000007
【図７】
0005568066.tif 000008
【図８】
0005568066.tif 000009
【図９】
0005568066.tif 000010